(57)【要約】【課題】ゴミ袋等の袋口に有する２本の取手部や閉じ口を片方ずつ持ち、手繰り寄せる際、左右を握り縛るという動作はゴミ捨ての場面など日常的な動作の一つであるが、ポリエチレンなどのビニール素材は素手では滑りやすく、取手部を握るなど動作への力も必要になり、力の弱い者やゴミをたくさん詰めた時は容易ではなかった。【解決手段】それを本発明の封止補助具を使用し、容易にゴミ袋の袋口を堅く捩じり、堅結びを作る案内をする繰り返し使用できる封止補助具。【選択図】図１
2018012554.tif 000002
【特許請求の範囲】
【請求項１】
一般的に普及されているゴミ袋等の袋体の開孔開縁部の両端又は取手部を捩じり、封止するための封止補助具であって、
空洞の短筒部の外向き左右対称に延設された羽板を固着した羽根部体で一体形成され、
空洞の短筒部には挿入口に当たる溝部が設けられ、
その溝部とは異なる軸対称位置に少なくとも二箇所設けられたスリット部を有し、該スリット部は袋体の開孔開縁部の両端又は取手部を係止めさせ、該羽根部を横一定方向に回すことでビニール素材の上記ゴミ袋体の袋口が堅く捩じり締め合わされ、堅結びを作る案内をすることを特徴とした封止補助具。
【請求項２】
請求項1記載の前記スリット部は前記短筒部の壁に対して周方向に凹状又は凸状に形成された部位を持ち袋体の開孔開縁部の両端又は取手部を係止めできるように定められている請求項１に記載の封止補助具。
【請求項３】
前記スリットの数が２の倍数である請求項１又は２に記載の封止補助具。
【請求項４】
前記封止補助具の材質はプラスチック・金属又は木材である請求項１ないし３のいずれか一つに記載の封止補助具。
【発明の詳細な説明】
【技術分野】
【０００１】
本発明は一般的に普及しているゴミ袋の袋口を手繰り寄せ結ぶ動作の時、ゴミ袋等の袋体の開孔開縁部の両端又は取手部を捩じり、簡単に堅結びを作る案内をすることを目的とした繰り返し使用できる封止補助具に関する。
【背景技術】
【０００２】
従来、ゴミ袋の袋開口を閉口する口部閉止用クリップおよび装着具は提案されている。(例えば、特許文献１参照。) 
しかしながらこのようなクリップは、封止する際に使用すると、ゴミと一緒に破棄することになり、結局はゴミとなってしまう難点があった。 
【先行技術文献】
【特許文献】
【０００３】
【特許文献１】特開平9−77095号
【発明の概要】
【発明が解決しようとする課題】
【０００４】
以上に述べた従来の構成されたクリップのようなものでは、ゴミ袋以外の消耗品であって、封止する際に使用するとゴミと一緒に破棄することになり、結局はゴミとなってしまう難点があった。
【０００５】
地域によってはゴミ袋が有料化になっており、袋の節約のためゴミを袋いっぱいに入れてしまうと袋口を封止する際、開孔開縁部の両端又は取手部を左右に持ち、手繰り寄せ縛るには力を必要とし時間を取られるなど容易な動作ではなかった。
【０００６】
本発明具を使用することで手先の力が入らない者でもゴミ袋にゴミを沢山詰めてしまっても、開孔開縁部の両端又は取手部を固く捩じり、袋体の封止を容易にできるのでゴミ袋の節約にも繋がり、繰り返し使用できる封止補助具を提供する。
【０００７】
本発明は袋体の開孔開縁部の両端又は取手部を容易に堅く捩じり合わせ、袋体の袋口の堅結びをする案内をし、繰り返し使用できることを目的とする。    
【課題を解決するための手段】
【０００８】
上記課題を解決するために、本発明の封止補助具はゴミ袋等の袋口に有する取手部等を封止するための補助具であって、一つの例として空洞の短筒の外向き左右対称に延設された羽板を固着した羽根部体で一体形成され、空洞の短筒部には袋体の取手部などを挿入口とする溝部が有し、その溝部に対して軸対称位置に少なくとも二箇所設けられた、前記ゴミ袋等の袋体の開孔開縁部又は取手部を係止めさせる短筒周方向に凹型のレの字のスリット部を有し、一体形成したことを特徴とした、封止補助具である。
【０００９】
前記係止めのスリット部は短筒部の壁に対して周方向に凹状又は凸状に形成され袋体の開孔開縁部の両端又は取手部等を係止めできることを目的とする。
【００１０】
更に前記溝部の数は１であってスリット部は2の倍数である。
【００１１】
また、材質は硬質プラスチック、樹脂製、金属製又は木材製が好ましい。金属は合金を含み、プラスチックは混合組成を含むものとする。また、一様な組成とすると製造し易いので好ましい。
【００１２】
また、羽根部体は袋の大きさに合わせて形成されて、対象に合わせ作成する。
【００１３】
ここにおいて、ゴミ袋等は取手部のあるゴミ袋を袋体というが、内容物を袋に入れ、袋口がストレートな物でも、開孔開縁部が結び合わせることが出来る袋体であれば良い。
【００１４】
このように構成された本発明具はゴミ袋等袋口の取手部２本を、二箇所に設けられた係止めさせるスリット部に１本ずつ引掛け、羽根部を横一定方向に回すことで弾性により伸びやすいポリエチレン等のビニール素材の開孔間縁部が堅く捩じり締め合わされる。一本に捩られた部分を手で押さえ、本発明の封止補助具を外し、取手部の２本のうちの1本を捩られた際に出来輪の空間に潜らせると結び目が作られ、もう一度結ぶことで容易に堅結びが作られる。 
【発明の効果】
【００１５】
上述したように本発明具は袋体の袋口を封止する際に手先の力でビニール素材の袋体を堅く捩じり、結ぶ案内を容易にすることが出来る。
【００１６】
また、お年寄りから子供まで力の弱い層や手先の力が入り難い者や、ゴミ袋にゴミをたくさん詰めてしまった場面で、開孔開縁部の両端、又は取手部を堅く捩じり簡単にゴミ袋の袋口を堅結びにすることができるので、ゴミ袋の節約にも繋がり、繰り返し使用できる封止補助具である。  
【図面の簡単な説明】
【００１７】
【図１】本発明に係わる一例を示す全体斜視図。
【図２】図1に示す本発明の使用例、斜視図  使用手順その１
【図３】図1に示す本発明の使用例、斜視図  使用手順その２
【図４】図1に示す本発明の使用例、斜視図  使用手順その３
【図５】図1に示す本発明の使用例、斜視図  使用手順その４
【図６】図1に示す本発明の使用例、斜視図  使用手順その５
【発明を実施するための形態】
【００１８】
以下、添付の図面に従って説明する。
【実施例】
【００１９】
図１に示す本発明に係わる封止補助具1の実施例を説明する。図1は、本発明に係わる封止補助具１を斜めから見た一つの例とする構成であって、空洞の短筒部２の外向き左右対称に延設された羽板を固着した羽根部３で形成され、空洞の短筒部２には挿入口に当たる溝部４が設けられ、溝部４と異なる短筒周方向に少なくても２本のゴミ袋等の取手部６を係止めさせる凹形レの字のスリット部５a、５bが二箇所に設けられ、またその溝部数は1とし、スリット部数は２の倍数で、硬質プラスチックなど強度を持つ材質から一体形成したことを特徴とする。
【００２０】
図２、使用の手順その１、ゴミ袋等の取手部６を溝部４から通す。
【００２１】
図３、使用手順その２、ゴミ袋等の二本ある取手部６を係止めさせるため凹形レの字
のスリット部５a５bへ一本ずつ引っ掛ける。
【００２２】
図４、使用手順その３、取手部６を片方の手で持ち、封止補助具１の羽根部３を一定
方向に横に回す。中央の空間がビニール素材の弾性により堅く捩られる状態になる。
【００２３】
図５、使用手順その４、封止補助具１を外し、捩じられた時に中央に出来る輪に取手部６の１本を通した図。
【００２４】
図6、使用手順その５、もう一度結ぶと堅結びとなる。
【符号の説明】
【００２５】
１      ：  封止補助具
２      ：  短筒部
３      ：  羽根部  
４      ：  溝部
５a５b  ：  凹形  レの字スリット部  
６      ：  取手部
【図１】
2018012554.tif 000003
【図２】
2018012554.tif 000004
【図３】
2018012554.tif 000005
【図４】
2018012554.tif 000006
【図５】
2018012554.tif 000007
【図６】
2018012554.tif 000008